(57)【要約】【課題】携帯通信端末から通信ネットワークを介して情報をサーバと送受信するシステムにおいて、効率よく作業を実施する光学情報読取装置および光学情報読取機能付携帯端末を提供する。【解決手段】本発明の光学情報読取装置１０１は、着信電波を検出する電波検出部１１１と、携帯通信端末と通信する通信部１０５と、状態を表示する表示部１０９と、光学情報を読み取る読取部１０６と、情報を入力するキー入力部１０７と、情報を記憶する記憶部１０８と、全体を制御する制御部１１０とを備えている。そして、この構成により携帯通信端末１０２に着信が発生したことを作業者に通知し、また、携帯通信端末１０２を着信画面に移行した状態から着信直前の作業状態に復帰させることを可能にする。【選択図】  図１
2004343308.tif 000002
【特許請求の範囲】
【請求項１】
携帯通信端末と通信可能であり前記携帯通信端末を介して通信ネットワークに接続されているサーバと通信を行う光学情報読取装置であって、前記光学情報読取装置は光学情報を読み取る読取部とキー入力部と表示部と前記読取部で読み取った情報および／または前記キー入力部により入力された情報を記憶する記憶部とを有し、前記記憶部に記憶された情報および／または加工された情報を前記サーバへ送信中に前記携帯通信端末に着信があり送信が中断された場合に、送信が中断された旨の情報を前記表示部に表示する光学情報読取装置。
【請求項２】
携帯通信端末と通信可能であり前記携帯通信端末を介して通信ネットワークに接続されているサーバと通信を行う光学情報読取装置であって、前記光学情報読取装置は光学情報を読み取る読取部とキー入力部と表示部と前記読取部で読み取った情報および／または前記キー入力部により入力された情報を記憶する記憶部とを有し、前記記憶部に記憶された情報および／または加工された情報を前記サーバへ送信中に前記携帯通信端末に着信があり送信が中断された場合に、送信が行われた最後の光学情報および／またはキー入力情報を前記表示部に表示する光学情報読取装置。
【請求項３】
携帯通信端末と通信可能であり前記携帯通信端末を介して通信ネットワークに接続されているサーバと通信を行う光学情報読取装置であって、前記光学情報読取装置は光学情報を読み取る読取部とキー入力部と表示部と前記読取部で読み取った情報および／または前記キー入力部により入力された情報を記憶する記憶部とを有し、前記記憶部に記憶された情報および／または加工された情報を前記サーバへ送信中に前記携帯通信端末に着信があり送信が中断された場合に、送信を復帰する旨の光学情報を読み取って前記サーバに送信し、前記サーバから送信が中断される前の入力画面を受信して前記携帯通信端末の表示部に表示させる光学情報読取装置。
【請求項４】
電波検出手段を備え、前記電波検出手段にて電波を検出することで携帯通信端末に着信があったことを検出する請求項１から３のいずれかに記載の光学情報読取装置。
【請求項５】
携帯通信端末が携帯電話であり、光学情報がバーコードまたは２次元コードである請求項１から４のいずれかに記載の光学情報読取装置。
【請求項６】
通信ネットワークに接続されているサーバと通信を行う光学情報読取機能付携帯通信端末であって、前記光学情報読取機能付携帯通信端末は光学情報を読み取る読取部とキー入力部と表示部と前記読取部で読み取った情報および／または前記キー入力部により入力された情報を記憶する記憶部とを有し、前記記憶部に記憶された情報および／または加工された情報を前記サーバへ送信中に着信があり送信が中断された場合に、送信が行われた最後の光学情報および／またはキー入力情報を前記表示部に表示する光学情報読取機能付携帯通信端末。
【請求項７】
通信ネットワークに接続されているサーバと通信を行う光学情報読取機能付携帯通信端末であって、前記光学情報読取機能付携帯通信端末は光学情報を読み取る読取部とキー入力部と表示部と前記読取部で読み取った情報および／または前記キー入力部により入力された情報を記憶する記憶部とを有し、前記記憶部に記憶された情報および／または加工された情報を前記サーバへ送信中に着信があり送信が中断された場合に、送信を復帰する旨の光学情報を読み取って前記サーバに送信し、前記サーバから送信が中断される前の入力画面を受信して前記表示部に表示する光学情報読取機能付携帯通信端末。
【請求項８】
通信ネットワークに接続されているサーバと通信を行う光学情報読取機能付携帯通信端末であって、前記光学情報読取機能付携帯通信端末は光学情報を読み取る読取部とキー入力部と表示部と前記読取部で読み取った情報および／または前記キー入力部により入力された情報を記憶する記憶部とを有し、光学情報の読み取りおよび／または前記サーバへの通信を優先させる優先モードの設定が可能であり、優先モード設定中は留守録状態または着信拒否状態となり光学情報の読み取りおよび／または前記サーバへの通信を中断することなく実施できる光学情報読取機能付携帯通信端末。
【発明の詳細な説明】
【０００１】
【発明の属する技術分野】
本発明は携帯通信端末を経由して情報を送受信する光学情報読取装置および光学情報読取機能付携帯通信端末に関するものである。
【０００２】
【従来の技術】
近年、携帯通信端末（おもに携帯電話）を経由して情報を送受信する光学情報読取装置は、携帯通信端末および光学情報読取装置の小型軽量化により携帯移動を可能とし、また、携帯通信端末を介して無線接続する既存の通信ネットワークを安価に利用できることから電波受信可能エリアにおいてリアルタイムに通信ネットワークに接続されているサーバと情報を送受信することを可能としている。
【０００３】
従来の携帯通信端末を経由して情報を送受信する光学情報読取装置は、インターネット上のサーバシステムに無線接続可能な携帯通信端末と通信部を介して接続されている。また、携帯通信端末は、通信ネットワークを介してサーバと接続されている。（例えば特許文献１参照。）。
【０００４】
図３は上記従来の携帯通信端末を経由して情報を送受信する光学情報読取装置を示しており、１０１は光学情報読取装置、１０２は携帯通信端末、１０３はサーバで、光学情報読取装置は携帯通信端末と通信部を介して接続され、携帯通信端末は、通信ネットワークを介してサーバと接続されている。
【０００５】
以上のように構成された携帯通信端末を経由して情報を送受信する光学情報読取装置について、その動作を説明する。光学情報読取装置と携帯通信端末を携帯した操作者は、光学情報読取装置で光学情報の読み取り操作を実施することにより情報が携帯通信端末に送信され携帯通信端末を制御して通信ネットワークを介してサーバに接続し、情報を送受信することができる。操作者は、作業に対応した光学情報を読み取らせることにより一連の作業を開始し、完了することができる。
【０００６】
【特許文献１】
特開２００２−６３６５０号公報（第１図）
【０００７】
【発明が解決しようとする課題】
しかし、従来の携帯通信端末を経由して情報を送受信する光学情報読取装置は、携帯通信端末に携帯電話を使用しているため、一連の作業を開始し、完了するまでの作業中に通話着信やメール着信などが発生すると通話着信やメール着信が優先され携帯通信端末の動作が意図する作業動作とは異なる着信画面へと移行するため、携帯通信端末に着信が発生した場合、作業に対応した光学情報を読み取らせて作業を完了したとしても正常に完了せず、再度、最初から一連の作業をやり直さなければならないという課題を有していた。
【０００８】
本発明は、一連の作業を開始し、完了するまでの作業中に通話着信やメール着信などが発生した時に正常に作業が完了するようにする光学情報読取装置および光学情報読取機能付携帯通信端末を提供することを目的とする。
【０００９】
【課題を解決するための手段】
本発明の光学情報読取装置は、上記課題を解決するために、着信電波を検出する電波検出部と、携帯通信端末と通信する通信部と、状態を表示する表示部と、光学情報を読み取る読取部と、情報を入力するキー入力部と、情報を記憶する記憶部と、全体を制御する制御部とを備えている。そして、この構成により携帯通信端末に着信が発生したことを作業者に通知し、また、携帯通信端末を着信画面に移行した状態から着信直前の作業状態に復帰させることを可能にすることとなる。
【００１０】
また、本発明の光学情報読取機能付携帯通信端末は、上記課題を解決するために、設定や情報を入力するキー入力部と、光学情報を読み取る読取部と、情報を記憶する記憶部と、作業画面を表示する表示部と、無線通信をする無線部と、全体を制御する制御部とを備えている。そして、この構成により光学情報読取機能付携帯通信端末に着信が発生したことを作業者に通知し、また、光学情報読取機能付携帯通信端末を着信画面に移行した状態から着信直前の作業状態に復帰し、さらに、光学情報読取機能付携帯端末を着信画面に移行させ作業を中断させることなく完了することを可能にすることとなる。
【００１１】
【発明の実施の形態】
以下、本発明の実施の形態について、図１と図２を用いて説明する。
【００１２】
（実施の形態１）
図１において、１０１は光学情報を読み取り携帯通信端末１０２に送信可能な情報に変換して携帯通信端末１０２と接続されている接続手段１１６を介して情報を送信する光学情報読取装置、１０２は前記光学情報読取装置１０１から接続手段１１６を介して送信された情報を無線通信にて通信ネットワーク１０４を介してサーバ１０３に送信し、また、サーバ１０３から送信された入力画面または指示画面を表示部１１３に表示する携帯通信端末、１０３は前記光学情報読取装置１０１から送信された情報に基づき処理を実行し、前記携帯通信端末へ入力画面または指示画面を送信するサーバ、１０４は前記携帯通信端末１０２と前記サーバ１０３とを接続する通信ネットワーク、１１６は前記光学情報読取装置１０１と前記携帯通信端末１０２とを接続する接続手段を示す。
【００１３】
１１０は光学情報読取装置１０１の動作を制御する制御部、１０６は光学情報を読み取る読取部、１０７は情報を入力するキー入力部、１０５は前記携帯通信端末１０２へ情報を送信する通信部、１０８は情報を記憶する記憶部、１０９は情報または状態を表示する表示部であり、光学的情報読取装置１０１はこれらから構成される。
【００１４】
１１１は携帯通信端末１０２が通話やメールを着信した場合に、そのことを検出する着信検出部である。携帯通信端末１０２が、そのアンテナで通話やメールを受信した場合に、無線部１１４から、制御部１１５、接続手段１１６、通信部１０５、制御部１０５を介して着信情報信号が着信検出部１１１に到達する。
【００１５】
１１５は携帯通信端末１０２の動作を制御する制御部、１１２は前記光学情報読取装置１０１と通信する通信部、１１３は入力画面または指示画面などの作業状態を表示する表示部、１１４は前記通信ネットワーク１０４を介して前記サーバ１０３と通信する無線部であり、携帯通信端末１０２はこれらから構成される。
【００１６】
以上のように構成された携帯通信端末を経由して情報を送受信する光学情報読取装置について、その動作を説明する。
【００１７】
操作者は、光学情報読取装置１０１を手に持ち、前記光学情報読取装置の読取部１０６においてサーバ１０３への接続要求が割り当てられたバーコードや２次元コード等の光学情報を読み取り、一連の作業を開始する。前記光学情報読取装置は、前記読取部で読み取った光学情報を携帯通信端末１０２へ通信可能な情報に変換し通信部１０５から接続手段１１６を介して前記携帯通信端末へ送信する。前記携帯通信端末は、通信部１１２で受信した前記サーバへの接続要求の情報により、無線部１１４から通信ネットワーク１０４を介して前記サーバに接続する。そして、前記サーバから入力画面または指示画面を前記携帯通信端末へ送信し前記携帯通信端末の表示部１１３に作業情報として表示する。その後、操作者は、前記光学情報読取装置の前記読取部から作業情報に関する光学情報を読み取る、または、キー入力部１０７から作業情報に関する入力をすることにより一連の作業を実行し完了する。しかし、一連の作業実行中に前記携帯通信端末に通話着信またはメール着信などが発生した場合、前記携帯通信端末は着信画面へ移行し中断されるため、その後の一連の作業は無効となる。
【００１８】
そこで、操作者が、前記携帯通信端末に着信が発生したことに気づかず、その後の無効な作業の実行を防止するために、前記携帯通信端末に着信が発生した時、前記光学情報読取装置の着信検出部１１１によって検出し、操作者へ前記携帯通信端末に着信が発生し中断されたことを、制御部１０５で表示部１０９に表示させる命令信号を生成し、その信号に基づいて中断を表示部１０９に表示伝達することにより、その後は一連の作業を実行しても無効となることを作業者に認識させる。
【００１９】
また、前記携帯通信端末に着信が発生した時、前記光学情報読取装置の電波検出部１１１によって検出し、一連の作業が中断された直前の前記光学情報読取装置の前記読取部で読み取った情報または前記キー入力部により入力された情報を記憶部１０８に記憶させることを命じる信号を生成し記憶部１０８に記憶させ、前記光学情報読取装置の前記通信部から送信された最後の情報として前記表示部に表示伝達することにより、一連の作業をどこまで実行したかを作業者に認識させる。
【００２０】
さらに、前記携帯通信端末に着信が発生し着信画面に移行した場合、前記光学情報読取装置の前記読取部から一連の作業が中断された直前の状態に復帰する旨の光学情報を読み取り、その復帰要求情報と、前記記憶部に記憶されている前記サーバに送信された最後の情報とを合わせて前記サーバに送信することにより、前記サーバでは、情報を照合し着信画面に移行する直前の入力画面または指示画面を前記携帯通信端末に送信し、着信が発生した直前の作業状態に復帰する。
【００２１】
以上のように、本実施の形態によれば携帯通信端末１０２に着信が発生したことを光学情報読取装置１０１の表示部１０９で表示伝達することにより、操作者は、確実に携帯通信端末１０２が着信画面に移行し一連の作業が中断されたことを認識することができる。
【００２２】
また、本実施の形態によれば携帯通信端末１０２に着信が発生した時、光学情報読取装置１０１の表示部１０９に着信直前の情報を表示することにより、操作者は、確実に携帯通信端末１０２が着信画面に移行し中断された直前の作業情報を認識することができる。
【００２３】
さらに、本実施の形態によれば光学情報読取装置１０１の読取部１０６で読み取った復帰要求情報と記憶部１０８に記憶されている最後に送信された情報とをサーバ１０３で照合することにより携帯通信端末１０２が着信画面に移行し作業が中断されたとしても直前の作業状態に復帰することができる。
【００２４】
（実施の形態２）
本実施の形態において実施の形態１と同様の箇所については同一の符号を付して詳細な説明を省略する。図２において、２０１は光学情報を読み取り送信可能な情報に変換して無線通信にて通信ネットワーク１０４を介してサーバ１０３に送信し、また、サーバ１０３から送信された入力画面または指示画面を表示部１１３に表示する光学情報読取機能付携帯通信端末を示し、前記光学情報読取機能付携帯通信端末２０１は、１１５は光学情報読取機能付携帯通信端末２０１の動作を制御する制御部、２０２は光学情報を読み取る読取部、２０３は情報を入力するキー入力部、２０４は情報を記憶する記憶部、１１３は入力画面または指示画面などの作業状態を表示する表示部、１１４は前記通信ネットワーク１０４を介して前記サーバ１０３と通信する無線部、とを有する。実施の形態１と異なるのは、光学情報読取機能付携帯通信端末２０１が携帯通信端末１０２に読取部２０２、キー入力部２０３、記憶部２０４を付加した点である。
【００２５】
以下，本実施の形態における光学情報読取機能付携帯通信端末２０１について、その動作を説明する。
【００２６】
操作者は、光学情報読取機能付携帯通信端末２０１を手に持ち、前記光学情報読取機能付携帯通信端末の読取部２０２においてサーバ１０３への接続要求が割り当てられたバーコードや２次元コード等の光学情報を読み取り、一連の作業を開始する。前記光学情報読取機能付携帯通信端末は、前記読取部で読み取った光学情報をサーバ１０３へ送信可能な情報に変換し、無線部１１４から通信ネットワーク１０４を介して前記サーバに接続する。そして、前記サーバから入力画面または指示画面を前記光学情報読取機能付携帯通信端末へ送信し前記光学情報読取機能付携帯通信端末の表示部１１３に作業情報として表示する。その後、操作者は、前記光学情報読取機能付携帯通信端末の前記読取部から作業情報に関する光学情報を読み取る、または、キー入力部２０３から作業情報に関する入力をすることにより一連の作業を実行し完了する。しかし、一連の作業実行中に前記光学情報読取機能付携帯通信端末に通話着信またはメール着信などが発生した場合、前記光学情報読取機能付携帯通信端末は着信画面へ移行し一連の作業は中断されてしまう。
【００２７】
そこで、前記光学情報読取機能付携帯通信端末に着信が発生した時、一連の作業が中断された直前の前記光学情報読取機能付携帯通信端末の前記読取部で読み取った情報または前記キー入力部により入力された情報を記憶部２０４に記憶し、前記光学情報読取機能付携帯通信端末の前記無線部から送信された最後の情報として前記表示部に表示伝達することにより、一連の作業をどこまで実行したかを作業者に認識させる。
【００２８】
また、前記光学情報読取機能付携帯通信端末に着信が発生し着信画面に移行した場合、前記光学情報読取機能付携帯通信端末の前記読取部から一連の作業が中断された直前の状態に復帰する旨の光学情報を読み取り、その復帰要求情報と、前記記憶部に記憶されている前記サーバに送信された最後の情報とを合わせて前記サーバに送信することにより、前記サーバでは、情報を照合し着信画面に移行する直前の入力画面または指示画面を前記光学情報読取機能付携帯通信端末に送信し、着信が発生した直前の作業状態に復帰する。
【００２９】
さらに、前記光学情報読取機能付携帯通信端末の一連の作業実行中に前記光学情報読取機能付携帯通信端末に通話着信またはメール着信などが発生した場合、前記光学情報読取機能付携帯通信端末は前記表示部が着信画面へ移行せずに入力画面または指示画面を保持したまま前記読取部での光学情報の読み取りおよび前記サーバへの送信を優先させるモードの設定を可能とし、優先モード設定中は、前記光学情報読取機能付携帯通信端末の着信応答として留守録状態まはた着信拒否状態とすることにより前記光学情報読取機能付携帯通信端末の着信画面への移行を防止することができるため、作業者は、一連の作業を中断することなく完了させる。
【００３０】
以上のように、本実施の形態によれば光学情報読取機能付携帯通信端末２０１に着信が発生した時、光学情報読取機能付携帯通信端末２０１の表示部１１３に着信直前の情報を表示することにより、操作者は、確実に光学情報読取機能付携帯通信端末２０１が着信画面に移行し中断された直前の作業情報を認識することができる。
【００３１】
また、本実施の形態によれば光学情報読取機能付携帯通信端末２０１の読取部２０２で読み取った復帰要求情報と記憶部２０４に記憶されている最後に送信された情報とをサーバ１０３で照合することにより光学情報読取機能付携帯通信端末２０１が着信画面に移行し作業が中断されたとしても直前の作業状態に復帰することができる。
【００３２】
さらに、本実施の形態によれば光学情報読取機能付携帯通信端末２０１の読取部２０２での光学情報の読み取りおよび無線部１１４でのサーバ１０３への通信を優先させる優先モードの設定を可能とし、優先モード設定中は留守録状態または着信拒否状態とすることにより一連の作業を中断することなく確実に完了することができる。
【００３３】
なお、実施の形態１において、操作者へ携帯通信端末１０２に着信が発生した旨の伝達手段として、光学情報読取装置１０１の表示部１０９に表示するとしたが、表示部１０９の替わりにＬＥＤ部による点滅、ブザー部による鳴動、振動部による振動、などの伝達手段としてもよい。また、光学情報をバーコードとしたが、光学情報は２次元コードでもよい。
【００３４】
【発明の効果】
以上のように、本発明は光学情報読取装置が携帯通信端末の着信の発生を検出し、作業中断直前の情報を表示し、作業中断直前の状態に復帰することにより、作業者は、一連の作業が中断された場合においても効率よく作業を継続し、完了することができる。
【００３５】
さらに、本発明は光学情報読取機能付携帯通信端末において、作業中断直前の情報を表示し、作業中断直前の状態に復帰し、また、作業中断が発生しないようにすることにより、作業者は、一連の作業を効率よく完了することができる。
【図面の簡単な説明】
【図１】本発明の光学情報読取装置の実施の形態１におけるシステム概略構成図
【図２】本発明の光学情報読取機能付携帯通信端末の実施の形態２におけるシステム概略構成図
【図３】従来の光学情報読取装置のシステム概略構成図
【符号の説明】
１０１  光学情報読取装置
１０２  携帯通信端末
１０３  サーバ
１０４  通信ネットワーク
１０５  通信部
１０６  読取部
１０７  キー入力部
１０８  記憶部
１０９  表示部
１１０  制御部
１１１  電波検出部
１１２  通信部
１１３  表示部
１１４  無線部
１１５  制御部
１１６  接続手段
２０１  光学情報読取機能付携帯通信端末
２０２  読取部
２０３  キー入力部
２０４  記憶部
３０１  光学情報読取装置
【図１】
2004343308.tif 000003
【図２】
2004343308.tif 000004
【図３】
2004343308.tif 000005